(57)【要約】  本出願は電動オイルポンプを開示している。ポンプハウジングと、ポンプロータユニット（８）と、ステータユニット（４）と、モータロータユニット（３）と電気制御基板（６）とを含む電動オイルポンプ（１００）であって、ポンプハウジングは、第１室（８０）と第２室（９０）とが含まれるポンプキャビティを形成し、ポンプロータユニット（８）が第１室（８０）に設けられ、ステータユニット（４）、モータロータユニット（３）及び電気制御基板（６）が第２室（９０）に設けられ、ポンプハウジングは第１ハウジング（２）を含み、第１ハウジング（２）が内面（２１１）と外面（２１２）が含まれる側壁（２１）を含み、内面（２１１）の少なくとも一部がステータユニット（４）の外壁の少なくとも一部に接触するように配置され、外面（２１２）には第１放熱部（２６）が設けられ、第１放熱部（２６）の少なくとも一部がステータユニット（４）の外周の少なくとも一部を覆って、このような配置によって、ステータユニット（４）の放熱、さらに、電動オイルポンプ（１００）の寿命の向上に寄与する。
2021501281.tif 000002
【特許請求の範囲】
【請求項１】
ポンプハウジングと、ポンプロータユニットと、ステータユニットと、モータロータユニットと電気制御基板とを含む電動オイルポンプであって、前記ポンプハウジングはポンプキャビティを形成し、前記ポンプキャビティは、前記ポンプロータユニットが設けられる第１室と、前記ステータユニット、前記モータロータユニット及び前記電気制御基板が設けられる第２室とを含む電動オイルポンプにおいて、前記ポンプハウジングは第１ハウジングを含み、前記第１ハウジングは、内面と外面が含まれる側壁を有し、前記内面の少なくとも一部が前記ステータユニットの外壁の少なくとも一部に接触するように配置され、前記外面には第１放熱部が設けられまたは成形され、前記電動オイルポンプの周方向において、前記第１放熱部の少なくとも一部が前記ステータユニットの外周の少なくとも一部を覆うことを特徴とする電動オイルポンプ。
【請求項２】
ポンプハウジングと、ポンプロータユニットと、ステータユニットと、モータロータユニットと電気制御基板とを含む電動オイルポンプであって、前記ポンプハウジングはポンプキャビティを形成し、前記ポンプキャビティは、前記ポンプロータユニットが設けられる第１室と、前記ステータユニット、前記モータロータユニット及び前記電気制御基板が設けられる第２室とを含む電動オイルポンプにおいて、前記ポンプハウジングは第１ハウジングを含み、前記第１ハウジングは、内面と外面が含まれる側壁を有し、前記内面の少なくとも一部が前記ステータユニットの外壁の少なくとも一部に接触するように配置され、前記外面には第１放熱部が設けられまたは成形され、前記第１ハウジングは、中空室が成形された中空部を含み、前記ステータユニット、前記モータロータユニットが前記中空室に設けられ、前記ステータユニットは、第１頂部と第１底部が含まれるコイルを有し、前記第１頂部が前記第１底部より前記ポンプロータユニットに近接し、前記第１放熱部は、前記電動オイルポンプの中心軸線の方向に沿って、開始点と終止点を含み、前記開始点が前記終止点より前記ポンプロータユニットに近接し、前記電動オイルポンプの中心軸線の方向に沿って、前記第１頂部が前記第１放熱部の前記終止点より前記ポンプロータユニットに近接することを特徴とする電動オイルポンプ。
【請求項３】
前記第１ハウジングの軸方向に沿って、前記第１放熱部は開始点と終止点を含み、前記開始点が前記終止点より前記ポンプロータユニットに近接し、前記ステータユニットはステータコアを含み、前記ポンプロータユニットに近接する前記ステータコアの側を上として、前記電気制御基板に近接する前記ステータコアの側を下として、前記第１ハウジングの軸方向に沿って、前記第１放熱部の開始点が前記ステータコアの上方に位置し、前記第１放熱部の前記終止点が前記ステータコアの三分の二以下に位置することを特徴とする請求項１または請求項２に記載の電動オイルポンプ。
【請求項４】
前記第１放熱部の、対応する前記側壁の前記外面に対する投影の面積を第１面積、前記第１放熱部の表面積を第２面積として定義し、前記第２面積が前記第１面積以上であることを特徴とする請求項１〜３のいずれかの一項に記載の電動オイルポンプ。
【請求項５】
前記第１放熱部は、前記外面から離れて突出するように配置される複数の突起部を含み、前記突起部が前記電動オイルポンプの軸方向に沿って連続的に配置され、または間隔を持って配置されることを特徴とする請求項４に記載の電動オイルポンプ。
【請求項６】
前記第１放熱部は、前記外面から前記第１ハウジングの中心軸線に凹むように配置される複数の凹部を含み、前記凹部が前記第１ハウジングの軸方向に沿って連続的に配置され、または間隔を持って配置されることを特徴とする請求項４に記載の電動オイルポンプ。
【請求項７】
前記第１放熱部は、前記外面から離れて突出するように配置される複数の突起部を含み、前記第１放熱部はさらに、前記外面から前記第１ハウジングの中心軸線に凹むように配置される複数の凹部を含み、前記突起部と前記凹部とが前記第１ハウジングの軸方向に沿って分布されるように配置されることを特徴とする請求項４に記載の電動オイルポンプ。
【請求項８】
前記突起部の突起する高さが同様であり、前記第１ハウジングの、前記突起部に対応する箇所における肉厚が前記突起部の突起する高さの１.５倍の以上であることを特徴とする請求項５または請求項７に記載の電動オイルポンプ。
【請求項９】
前記第１ハウジングの、前記第１放熱部の前記凹部に対応する箇所における肉厚が、前記凹部の凹み深さの０.５倍の以上であり、前記凹部の深さが同様であることを特徴とする請求項６または請求項７に記載の電動オイルポンプ。
【請求項１０】
前記第１放熱部の前記開始点に位置する前記突起部または前記凹部が、前記外面に平滑に過渡するように接続され、前記第１放熱部の前記開始点に位置する前記突起部または前記凹部の側壁と前記外面との夾角が９０°より大きく、前記第１放熱部の前記終止点に位置する前記突起部または前記凹部が、前記外面に平滑に過渡するように接続され、前記第１放熱部の前記終止点に位置する前記突起部または前記凹部の側壁と前記外面との夾角が９０°より大きいことを特徴とする請求項６または請求項９に記載の電動オイルポンプ。
【請求項１１】
前記第１ハウジングは金属材料であり、前記第１ハウジングはさらに第１溝槽と第２溝槽を含み、前記第１放熱部が前記第１溝槽と前記第２溝槽との間に位置し、前記電動オイルポンプはさらに、前記第１溝槽に外挿される第１環状封止リングと、前記第２溝槽に外挿される第２環状封止リングとを含み、前記第１放熱部が前記第１環状封止リングと前記第２環状封止リングとの間に位置することを特徴とする請求項１〜１０のいずれかの一項に記載の電動オイルポンプ。
【請求項１２】
前記電動オイルポンプはさらに、前記第１ハウジングに固定接続される第２ハウジングを含み、前記第２ハウジングは複数の突起リブを含み、前記突起リブと前記第２ハウジングとが一体として射出成形され、前記突起リブが前記第１ハウジングから離れる方向に突出するように配置されることを特徴とする請求項１〜１１のいずれかの一項に記載の電動オイルポンプ。
【請求項１３】
前記第２ハウジングの、前記突起リブが配置された領域を第１領域、前記第１領域の面積を第３面積として定義し、前記電気制御基板は基板と発熱電子部品を含み、前記発熱電子部品の、前記基板上を被覆する領域を第２領域として、前記第２領域の面積を第４面積として定義し、前記第１領域と前記第２領域を前記電気制御基板に垂直投影し、前記第１領域の垂直投影の少なくとも一部が、前記第２領域の垂直投影の少なくとも一部と重なるように配置され、前記第３面積が前記第４面積以上であることを特徴とする請求項１２に記載の電動オイルポンプ。
【発明の詳細な説明】
【技術分野】
【０００１】
本出願は２０１７年０８月３１日にて中国特許庁に提出され、出願番号が２０１７１０７７０１４３.４であり、発明名称が「電動オイルポンプ」である中国特許出願の優先権を主張し、その全ての内容は援用されることで本出願に結合される。
【０００２】
本発明は車両分野に関わり、特に車両の潤滑システム及び/または冷却システムの部品に関わる。
【背景技術】
【０００３】
車両性能がより安全、確実、安定、全自動及びインテリジェント化、環境に優しくと省エネという方向に発展することに連れて、電動オイルポンプが大量に車両の潤滑システムと冷却システムに適用され、市場の要求をよく満たしている。
【発明の概要】
【発明が解決しようとする課題】
【０００４】
電動オイルポンプは主に車両の潤滑システム及び/または冷却システムに動力源を提供し、電動オイルポンプはステータユニットを含み、一般的には、ステータユニットが作動すると熱が生じて、熱が一定の程度に累計され、即時に放散されなければ、ステータユニットの性能に影響し、電動オイルポンプの寿命を低減させる。
【０００５】
本発明は、ステータユニットの放熱、さらに電動オイルポンプの寿命の向上に寄与する電動オイルポンプを提供することを目的とする。
【課題を解決するための手段】
【０００６】
前記目的を実現するために、本発明の実施形態は以下の技術案を採用し、即ち、ポンプハウジングと、ポンプロータユニットと、ステータユニットと、モータロータユニットと電気制御基板とを含む電動オイルポンプであって、前記ポンプハウジングはポンプキャビティを形成し、前記ポンプキャビティは、前記ポンプロータユニットが設けられる第１室と、前記ステータユニット、前記モータロータユニット及び前記電気制御基板が設けられる第２室とを含む電動オイルポンプにおいて、前記ポンプハウジングは第１ハウジングを含み、前記第１ハウジングは、内面と外面が含まれる側壁を有し、前記内面の少なくとも一部が前記ステータユニットの外壁の少なくとも一部に接触するように配置され、前記外面には第１放熱部が設けられまたは成形され、前記電動オイルポンプの周方向において、前記第１放熱部の少なくとも一部が前記ステータユニットの外周の少なくとも一部を覆って、このように、ステータユニットの放熱、さらに電動オイルポンプの寿命の向上に寄与することを特徴とする。
【０００７】
ポンプハウジングと、ポンプロータユニットと、ステータユニットと、モータロータユニットと電気制御基板とを含む電動オイルポンプであって、前記ポンプハウジングはポンプキャビティを形成し、前記ポンプキャビティは、前記ポンプロータユニットが設けられる第１室と、前記ステータユニット、前記モータロータユニット及び前記電気制御基板が設けられる第２室とを含む電動オイルポンプにおいて、前記ポンプハウジングは第１ハウジングを含み、前記第１ハウジングは、内面と外面が含まれる側壁を有し、前記内面の少なくとも一部が前記ステータユニットの外壁の少なくとも一部に接触するように配置され、前記外面には第１放熱部が設けられまたは成形され、前記第１ハウジングは、中空室が成形された中空部を含み、前記ステータユニット、前記モータロータユニットが前記中空室に設けられ、前記ステータユニットは、第１頂部と第１底部が含まれるコイルを有し、前記第１頂部が前記第１底部より前記ポンプロータユニットに近接し、前記電動オイルポンプの中心軸線の方向に沿って、前記第１放熱部は開始点と終止点を含み、前記開始点が前記終止点より前記ポンプロータユニットに近接し、前記電動オイルポンプの中心軸線の方向に沿って、前記第１頂部が前記第１放熱部の前記終止点より前記ポンプロータユニットに近接し、このように、ステータユニットの放熱、さらに電動オイルポンプの寿命の向上に寄与することを特徴とする。
【図面の簡単な説明】
【０００８】
【図１】本発明の電動オイルポンプの実施形態の立体構成模式図である。
【図２】図１における電動オイルポンプの実施形態の構成模式図である。
【図３】図１における電動オイルポンプの実施形態の他の構成模式図である。
【図４】図１における電動オイルポンプの実施形態の平面構成模式図である。
【図５】図１における第１ハウジングが組み立てられない電動オイルポンプの平面構成模式図である。
【図６】図１における第１ハウジングの第１実施形態の立体構成模式図である。
【図７】第１放熱部が配置されていない場合の、第１ハウジングの断面構成模式図である。
【図８】図６における第１ハウジングの断面構成模式図である。
【図９】図８における第１ハウジングのＡ部の部分拡大構成模式図である。
【図１０】図１における第１ハウジングの第２実施形態の断面構成模式図である。
【図１１】図１における第１ハウジングの第３実施形態の断面構成模式図である。
【図１２】図１における第１ハウジングの第４実施形態の断面構成模式図である。
【図１３】図１における第２ハウジングの立体構成模式図である。
【図１４】図１３における第２ハウジングの正面構成模式図である。
【図１５】図１３における第２ハウジングの断面構成模式図である。
【図１６】図２における電気制御基板の立体構成模式図である。
【図１７】本発明の電動オイルポンプの他の実施形態の断面構成模式図である。
【発明を実施するための形態】
【０００９】
以下は図面と具体的な実施例を結合して、本発明をさらに説明し、即ち、本実施例における電動オイルポンプは主に車両の潤滑システム及び/または冷却システムの作動媒体に流動する動力を提供し、具体的には、車両の伝動システムにおける潤滑システム及び/または冷却システムの作動媒体に流動する動力を提供する。
【００１０】
図１〜図３を参照し、電動オイルポンプ１００はポンプハウジングと、モータロータユニット３と、ステータユニット４と、ポンプシャフト５と、ポンプロータユニット８と電気制御基板６とを含み、ポンプハウジングはポンプキャビティを形成し、モータロータユニット３、ステータユニット４、ポンプシャフト５、ポンプロータユニット８及び電気制御基板６がポンプキャビティに収容され、ステータユニット４はステータコア４１とコイル４２とを含む。電動オイルポンプ１００は作動している場合に、回路基板ユニット６がステータユニット４のコイル４２を通過する電流を一定の規律に応じて変化するように制御することで、変化する励起磁場を発生させるようにステータユニット４を制御し、モータロータユニット３が励起磁場の作用で回転し、ポンプロータユニット８を回転させ、ポンプロータユニット８が回転する場合に、ポンプキャビティの容積が変化することで、作動媒体が流出口に押し出されることによって、流動する動力を発生させる。
【００１１】
図１〜図３を参照し、本実施例において、ポンプハウジングはポンプ蓋１と、第１ハウジング２と第２ハウジング７とを含み、ポンプ蓋１１、第１ハウジング２及び第２ハウジング７が相対的に固定接続され、ポンプハウジングは第１室８０と第２室８０が含まれるポンプキャビティを形成し、第１室８０内には作動媒体が流れ、ポンプロータユニット８と電気制御基板６とが第１室８０に設けられ、第２室８０には作動媒体が通過していなく、ステータユニット４、モータロータユニット３と電気制御基板６が第２室８０に設けられ、このような配置によって、ステータユニット４と、電気制御基板６と作動媒体とが十分に分けられることで、ステータユニットと電気制御基板の性能が作動媒体に影響されていないように保証する。
【００１２】
図２と図５を参照し、本実施例において、電動オイルポンプ１００は内ロータ８１と外ロータ８２とが含まれるポンプロータユニット８を有し、内ロータ８１が複数の外歯を含み、外ロータ８２が複数の内歯を含み、外ロータ８２の内歯と内ロータ８１の外歯との間には油圧室８０１が形成され、本実施例において、外ロータ８２が内ロータ８１の外周の外に配され、外ロータ８２の一部の内歯と内ロータ８１の一部の外歯とは内噛み合いが形成される。また、図１〜図５を参照し、電動オイルポンプは流入口１１と流出口１２を含み、作動媒体が流入口１１を介して油圧室８０１に入って、そして、流出口１２を介して油圧室８０１から離れ、内ロータ８１と外ロータ８２との間には一定の離心率が存在するから、内ロータ８１が回転すると、内ロータ８１の一部の外歯と外ロータ８２の一部の内歯とが噛み合うことで、外ロータ８２を回転させ、ポンプロータ８が一周回転している過程において、油圧室８０１の内容積が変化し、具体的には、ポンプロータ８が開始箇所から、ある角度に回転する場合に、油圧室８０１内の容積が漸増することで、局所が真空になるように形成され、作動媒体が流入口１１から油圧室８０１に吸入され、ポンプロータが続いて回転すると、作動媒体が充満された油圧室の容積が漸減し、作動媒体が押出されることで、油圧室８０１内に入った作動媒体が流出口１２に押し出され、流動する動力を発生させる。
【００１３】
図１〜図３を参照し、ポンプ蓋１が第１ハウジング２に固定接続され、第１ハウジング２が第２ハウジング７に固定接続され、本実施例において、ポンプ蓋１と第１ハウジング２とがねじまたはボルトによって接続され、このような配置によって、電動オイルポンプの着脱がより便利になり、電動オイルポンプにおけるポンプロータユニットに対するメンテナンスに寄与し、無論、ポンプ蓋１と第１ハウジング２との間は、例えば差し込み、係合などの他の方式で接続されてもよく、第１ハウジング２が第２ハウジング７に固定接続され、具体的には、第１ハウジング２と第２ハウジング７とがねじまたはボルトによって接続され、このような配置によって、電動オイルポンプの着脱がより便利になり、電動オイルポンプにおける電気制御基板に対するメンテナンスに寄与する一方で、第１ハウジング２と第２ハウジング７との接続がより確実になり、無論、第１ハウジング２と第２ハウジング７とが差し込み、係合などの他の接続方式で接続されてもよい。
【００１４】
図６〜図９を参照し、図６、図８及び図９は第１ハウジングの第１実施形態の構成模式図であり、図７は、第１放熱部が配置されていない場合の第１ハウジングの構成模式図であり、以下は第１ハウジングの第１実施形態を説明する。
【００１５】
図６〜図９を参照し、第１ハウジング２は、内面２１１と外面２１２が含まれる側壁２１を有し、図２を結合し、内面２１１の少なくとも一部がステータユニット４の外壁の少なくとも一部に接触するように配置され、外面２１２には第１放熱部２６が設けられ、電動オイルポンプの周方向において、第１放熱部２６の少なくとも一部がステータユニット４の外周の少なくとも一部を覆って、このような配置によって、電動オイルポンプの軸方向において、第１放熱部２６の縦方向分布領域の少なくとも一部が中空室２２１に対応するように配置され、ステータユニットと電気制御基板の放熱、さらに、電動オイルポンプの寿命の向上に寄与する。第１ハウジング２は中空室２２１が成形された中空部２２を含み、図２におけるステータユニット、モータロータユニットが中空室２２１に設けられ、第１放熱部２６の縦方向分布領域の少なくとも一部が、第１ハウジング２の中空室２２１に対応する部分に位置し、このような配置によって、第１放熱部２６の縦方向分布領域の少なくとも一部が、第１ハウジング２の中空室２２１に対応する少なくとも一部に対応するように配置され、ステータユニットと電気制御基板の放熱に寄与し、具体的には、中空部２２は、中空部２２の天井面である第１面２２２と、中空部の底面である第２面２２３とを含み、図２を結合し、第１面２２２が第２面２２３よりポンプロータユニット８に近接するように配置され、第１基準面を定義し、第１基準面の中心軸線が第１面２２２的中心軸線と重なって、第１基準面が第１面２２２と重なって、第２基準面を定義し、第２基準面の中心軸線が第２面２２３的中心軸線と重なって、第２基準面が第２面２２３と重なって、図２または図３を結合し、電動オイルポンプの中心軸線の方向に沿って、第１放熱部２６の縦方向分布領域の少なくとも一部が第１基準面と第２基準面との間に位置する。
【００１６】
図３と図８を参照し、コイル４２は第１頂部４２１と第１底部４２２を含み、第１頂部４２１が第１底部４２２よりポンプロータユニット８に近接し、電動オイルポンプ１００の中心軸線方向に沿って、第１放熱部２６は開始点２６４と終止点２６３を含み、開始点２６４が終止点２６３より図３におけるポンプロータユニット８に近接し、電動オイルポンプ１００の中心軸線の方向に沿って、図３におけるコイル４２の第１頂部４２１が第１放熱部２６の終止点２６３よりポンプロータユニット８に近接し、即ち、第１放熱部２６の終止点２６３が図３におけるコイル４２の第１頂部４２１の下方に位置する。
【００１７】
図８を参照し、第１放熱部２６の、対応する側壁２１の外面２１２に対する投影面積を第１面積として定義し、第１放熱部２６の表面積を第２面積として定義し、第２面積が第１面積の以上であり、また図７を参照し、図７は、外面には第１放熱部が配置されていない場合の第１ハウジングの構成模式図であり、定義面Ｋを定義し、定義面Ｋは第１放熱部２６が配置されていない外面であり、図７における外面２１２’を図８に対応すると、定義面Ｋ(図８の点線箇所)を得て、第１放熱部２６は、第１ハウジング２から離れた中心軸線に突出するように配置される複数の突起部２６２を含み、具体的には、突起部２６２ｇが外面２１２から離れて突出するように配置され、突起部２６２が定義面Ｋに相接するように突起し、このような配置によって、皮剥きという方式で、第１ハウジング２の放熱面積を大きくすることに相当し、ステータユニットと電気制御基板の放熱に寄与する。
【００１８】
突起部２６２は第１ハウジング２の中心軸線方向に沿って間隔を持って分布されまたは連続的に分布され、具体的には、図８と図９を参照し、本実施例において、第１放熱部２６はさらに、外面２１２から第１ハウジング２の中心軸線に凹むように配置される複数の凹部２６１を含み、突起部２６２と凹部２６１とが電動オイルポンプの軸方向に沿って分布されるように配置され、具体的には、突起部２６２が第１ハウジング２の中心軸線方向に沿って間隔を持って分布され、ここでの「間隔を持って分布される」ことは、凹部２６１と突起部２６２とが交互に配置され、即ち、隣接する二つの凹部２６１の間には一つの突起部２６２が設けられ、または、隣接する二つの突起部２６２の間には一つの凹部２６１が設けられることを指し、この場合、凹部２６１が電動オイルポンプの軸方向に沿って間隔を持って配置され、このような配置によって、最大程度で放熱面積を大きくして、図２におけるステータユニット４と電気制御基板６の放熱、さらに電動オイルポンプの寿命の向上に寄与し、無論、突起部２６２がさらに第１ハウジング２の中心軸線方向に沿って連続的に分布されてもよく、ここでの「連続分布」は、突起部２６２の頭尾が連結されることを指す。
【００１９】
図８と図９を参照し、本実施例において、突起部２６２の突起する高さが同様であり、第１ハウジング２の、突起部２６２に対応する箇所における肉厚Ｈ１が、突起部２６２の突起する高さＨ３の１.５倍の以上であり、このような配置によって、第１ハウジング２の側壁２１の、突起部２６２における機械強度を保証し、第１ハウジング２の、第１放熱部２６の凹部２６１に対応する箇所における肉厚Ｈ２が、凹部２６１の凹み深さＨ３の０.５倍の以上であり、このような配置によって、第１ハウジング２の側壁の、凹部２６１における機械強度を保証し、具体的には、内面２１１と外面２１２との間の垂直距離を第１距離Ｈ１として定義し、即ち、第１ハウジング２の、突起部２６２に対応する箇所における肉厚であり、凹部２６１は頭部２６１１と尾部２６１２を含み、尾部２６１２が頭部２６１１より第１ハウジング２の中心軸に近接するように配置され、尾部２６１２と内面２１１との垂直距離を第２距離Ｈ２として定義し、第２距離Ｈ２と第１距離Ｈ１との比が三分之一の以上であり、このような配置によって、第１ハウジング２の側壁２１の、第１放熱部２６にある強度を保証することで、第１ハウジングの側壁が機械強度の不足による破断することを防止する。
【００２０】
図８と図９を参照し、第１放熱部２６の開始点２６４に位置する突起部２６２または凹部２６１が、外面２１２に平滑に過渡するように接続され、第１放熱部２６の開始点２６４に位置する突起部２６２または凹部２６１の側壁と外面２１２との夾角が９０°より大きく、このような配置によって、過渡箇所には鋭角がなくなり、過渡箇所の応力集中の減小に寄与し、第１放熱部２６の終止点２６３に位置する突起部２６２または凹部２６１が外面に平滑に過渡するように接続され、第１放熱部２６の終止点２６３に位置する突起部２６２または凹部２６１の側壁と外面との夾角が９０°より大きく、このような配置によって、過渡箇所には鋭角がなくなり、過渡箇所の応力集中の減小に寄与する。
【００２１】
図２、図３と図８を参照し、ステータユニット４はステータコア４１を含み、ポンプロータユニット８に近接するステータコア４１の側を上として、電気制御基板６に近接するステータコア４１の側を下として、第１ハウジング２の軸方向に沿って、第１放熱部２６の開始点２６４が図３におけるステータコア４１の上方に位置し、第１放熱部２６の終止点２６３がステータコア４１の三分の二の以下に位置し、このような配置によって、第１放熱部２６がなるべくステータコア４１を多く取り囲むように配置されることで、ステータユニット４の放熱に寄与する。
【００２２】
図６〜図９を参照し、第１ハウジング２は第２頂部２３と第２底部２４を含み、図２または図３を結合し、第２頂部２３が第２底部２４よりポンプロータユニット８に近接し、電動オイルポンプの軸方向において、ステータユニット４が第１放熱部２６の少なくとも一部と重なるように配置され、即ち、第１放熱部２６の少なくとも一部が、ステータユニット４の外周の一部を覆って、電動オイルポンプの中心軸線の方向に沿って、第１放熱部２６の縦方向分布領域の少なくとも一部が第２頂部２３と第２底部２４との間に位置し、このような配置によって、図２におけるステータユニット４が作動している場合に、コイル４２から発生された熱ができるだけ早く第１放熱部２６を介して放散されることを保証しており、第１放熱部２６の開始点２６４に位置する凹部２６１を首凹部として定義し、首凹部がコイル４２の第１頂部４２１の上方に位置し、無論、突起部２６２が開始点２６４に位置してもよく、第１放熱部２６の終止点２６３に位置する凹部を末凹部として定義し、末凹部がコイル４２の第１頂部４２１の下方に位置し、無論、突起部が終止点に位置してもよく、このような配置によって、電動オイルポンプの軸方向に沿って、首凹部と末凹部との間の縦方向領域の軸方向投影の少なくとも一部が、ステータユニットの縦方向領域の軸方向投影の少なくとも一部と重なって、ステータユニットの放熱に寄与する。図８を参照し、末凹部の中心軸線と首凹部の中心軸線との間の垂直距離Ｌは、図３におけるコイル４２の第１頂部４２１から第１底部４２２までの間の垂直距離Ｈ４の以上であり、即ち、第１放熱部２６は軸方向でコイル４２の領域を覆って、このような配置によって、図３におけるコイルから発生された熱が第１放熱部を介して均一に放散されるように保証することで、放熱効率を向上させる。
【００２３】
図８を参照し、第１ハウジング２は金属材料であり、第１ハウジング２はさらに第１溝槽２７と第２溝槽２８を含み、第１放熱部２６が第１溝槽２７と第２溝槽２８との間に位置し、図２を結合し、電動オイルポンプはさらに第１溝槽２７に外挿される第１環状封止リング３０と、第２溝槽２８に外挿される第２環状封止リング４０とを含み、第１放熱部２６が第１環状封止リング３０と第２環状封止リング４０との間に位置し、電動オイルポンプが自動車の伝動システムに装着されると、配置された第１環状封止リング３０と第２環状封止リング４０は、高圧油媒体が第１放熱部２６の所属領域に入ることを防止し、この場合、第１放熱部２６に接触するように、外部に冷媒媒体が接続されることで、コイルの放熱がより効率になる。図６〜図１０を参照し、凹部２６１と突起部２６２とが第１ハウジング２の外面２１の円周方向に沿って周方向に配置され、第１放熱部２６の凹部２６１と突起部２６２が第１ハウジング２の中心軸に沿って配列分布されまたは均一に分布され、このような配置によって、第１放熱部の面積の拡大、さらにコイルの放熱に寄与し、本実施例において、第１放熱部２６の凹部２６１と突起部２６２が第１ハウジング２の外面の円周方向に沿っていずれも一周が配置され、無論、第１放熱部２６の凹部２６１と突起部２６２が第１ハウジング２の外面２１の円周方向にそって、一周より少ないように配置されてもよい。
【００２４】
図８を参照し、第１ハウジング２を軸方向に沿って縦方向に切断することで、縦方向の切断面を得て、本実施例において、第１放熱部２６の形状は略波状を呈して、無論、第１放熱部２６の形状は矩形、三角形または台形などの他の形状からなる波形であってもよい。
【００２５】
以下は、第１ハウジングの他の三つの実施形態の構成を説明し、他の三つの実施形態の第１ハウジングについて、説明を便利にするために、第２実施形態の第１ハウジングを第１ハウジング２ａとして標識し、他の符号に対して、接尾辞として、いずれもａを追加し、第３実施形態の第１ハウジングを第１ハウジング２ｂとして標識し、他の符号に対して、接尾辞として、いずれもｂを追加し、第４実施形態の第１ハウジングを第１ハウジング２ｃとして標識し、他の符号に対して、接尾辞として、いずれもｃを追加する。
【００２６】
図１０を参照し、図１０は第１ハウジングの第２実施形態の構成模式図であり、以下は第１ハウジングの第２実施形態の構成を説明する。
【００２７】
図７と図１０を参照し、第１ハウジング２ａは第１放熱部２６ａを含み、第１放熱部２６ａの、対応する側壁２１ａの外面２１２ａに対する投影面積を第１面積として定義し、第１放熱部２６ａの表面積を第２面積として定義し、第２面積が第１面積の以上であり、定義面Ｋ’を定義し、定義面Ｋ’は第１放熱部２６ａが配置されていない外面であり、第１面積が定義面Ｋ’の表面積であり、図７における外面２１２’を図１０に対応することで、定義面Ｋ’(図１１の点線箇所)を得て、第１放熱部２６ａは、定義面Ｋ’から離れて突出するように配置される複数の突起部２６２ａを含み、第１実施形態に比べると、本実施形態は皮剥きという方式ではなく、直接的に滑らかな外面に第１放熱部２６ａを配置することで、第１ハウジング２の放熱面積を増えて、ステータユニットと電気制御基板の放熱に寄与し、本実施例の他の特徴に対して、第１ハウジングの第１実施形態を参照すればよいから、ここで一々贅言していない。
【００２８】
図１１を参照し、図１１は第１ハウジングの第３実施形態の構成模式図であり、以下は第１ハウジングの第３実施形態の構成を説明する。
【００２９】
図１１を参照し、第１ハウジング２ｂは第１放熱部２６ｂを含み、本実施例において、第１放熱部２６ｂは、外面２１２ｂから離れて突出するように配置される複数の突起部２６２ｂを含み、突起部２６２ｂが第１ハウジング２ｂの軸方向に沿って連続的に配置され、ここで「連続配置」は、隣接する二つの突起部２１２ｂの頭尾が連結されることを指し、本実施例において、突起部２６２ｂの突起する高さが同様であり、第１ハウジング２の、突起部２６２ｂに対応する箇所における肉厚が、突起部２６２ｂの突起する高さの１.５倍の以上であり、第１ハウジングの他の実施形態に比べると、本実施例において、第１放熱部２６ｂは凹部を含まなくて、突起部２６２ｂのみを含み、これは同様に外面の面積を相対的に増えて、さらに第１放熱部２６ｂの放熱面積を相対的に増えて、ステータユニットと電気制御基板の放熱に寄与し、本実施例の他の特徴に対して、第１ハウジングの第１実施形態を参照すればよいから、ここで一々贅言していない。
【００３０】
図１２を参照し、図１２は第１ハウジングの第４実施形態の構成模式図であり、以下は第１ハウジングの第４実施形態の構成を説明する。
【００３１】
図１２を参照し、第１ハウジング２ｃは第１放熱部２６ｃを含み、本実施例において、第１放熱部２６ｃは外面２１２ｃから第１ハウジング２ｃの中心軸線に凹むように配置される複数の凹部２６１ｃを含み、凹部２６１ｃが第１ハウジング２ｃの軸方向に沿って連続的に配置され、ここでの「連続配置」は、隣接する二つの凹部２６１ｃの頭尾が連結されることを指し、第１ハウジング２ｃの、第１放熱部２６ｃに対応する凹部２６１ｃにおける肉厚が、凹部２６１ｃの凹み深さの０.５倍の以上であり、第１ハウジングの他の実施形態に比べると、本実施例において、第１放熱部２６ｃは突起部を含まなくて、凹部２６１ｃのみを含み、これは同様に外面の面積を相対的に増えて、さらに、第１放熱部の放熱面積を相対的に増えて、ステータユニットと電気制御基板の放熱に寄与し、本実施例の他の特徴に対して、第１ハウジングの第１実施形態を参照すればよいから、ここで一々贅言していない。
【００３２】
図１〜図３を参照し、電動オイルポンプはさらに、第１ハウジング２に固定接続される第２ハウジング７を含み、図１３〜図１５を参照し、図１３〜図１５は第２ハウジングの構成模式図であり、第２ハウジングは、第２ハウジング７に固定接続されまたは一体として配置される複数の突起リブ７４を含み、本実施例において、突起リブ７４と第２ハウジング７とが一体として射出成形され、図３を結合し、突起リブ７４が第１ハウジング２から離れる方向に突出するように配置され、第２ハウジング７は挿着部７６を含み、図３を結合し、挿着部７６が第１ハウジング２から離れる方向に突出するように配置され、突起リブ７４の、第２ハウジング７を被覆する領域を第１領域、第１領域の面積を第３面積として定義し、図１６を参照し、電気制御基板６は基板６１と発熱電子部品６２を含み、発熱電子部品６２が基板６１に配置され、発熱電子部品６２の、基板６１を被覆する領域を第２領域として、第２領域の面積を第４面積として定義し、第１領域と前記第２領域とが互いに対応するように配置され、第１領域と第２領域を電気制御基板６に垂直投影し、第１領域の垂直投影の少なくとも一部が第２領域の垂直投影の少なくとも一部と重なるように配置され、第３面積が第４面積の以上であり、このような配置によって、基板６１に配置された発熱電子部品６２から発生された熱が短い時間で、突起リブを介して即時に放散されるように十分に保証することで、発熱電子部品から発生された熱の、電気制御基板の性能に対する影響を減少させる。
【００３３】
図１４を参照し、第２ハウジング７はさらに第１側壁７５を含み、本実施例において、突起リブ７４が第１側壁７５に略平行するように配置され、ここでの「略平行」は、第１側壁７５を基準面として、突起リブ７４の平行度が０.５ｍｍ範囲以内にあることを指し、このような配置によって、第２ハウジングになるべく多い突起リブ７４を配置するように保証することで、放熱面積を増えて、回路基板の放熱に寄与し、無論、突起リブ７４は第１側壁７５と一定の角度をなすように配置されてもよく、本実施例において、突起リブ７４の横方向断面形状は矩形であり、無論、突起リブの横方向断面形状は例えば台形、三角形、弧形などの他の形状であってもよい。
【００３４】
図１７を参照し、図１７は電動オイルポンプの他の実施形態の構成模式図であり、電動オイルポンプ１００’はポンプハウジングを含み、ポンプハウジングはポンプ蓋１と、第１ハウジング２と第２ハウジング７とを含み、ポンプ蓋１、第１ハウジング２及び第２ハウジング７が相対的に固定接続され、ポンプハウジングは第１室８０と第２室９０が含まれるポンプキャビティを形成し、第１室８０内には作動媒体が流れて、ポンプロータユニット８と電気制御基板６とが第１室８０に設けられ、第２室９０には作動媒体が通過し、ステータユニット４、モータロータユニット３と電気制御基板６が第２室９０に設けられ、電動オイルポンプ１００’はさらにポンプシャフト５’を含み、ポンプシャフト５’は第１室８０と第２室９０との作動媒体を連通するための軸孔５０を含み、このような配置によって、第１室内の作動媒体が軸孔５０を介して第２室に流入し、電動オイルポンプの第１実施形態に比べると、本実施形態における電動オイルポンプの第２室には作動媒体が通過し、このように、第２室内の作動媒体もステータユニット４が運転している中で発生された熱の一部を奪って、ステータユニットの放熱により寄与し、本実施例の他の特徴に対して、電動オイルポンプの第１実施形態を参照すればよいから、ここで一々贅言していない。
【００３５】
説明を必要とするのは、以上の実施例は本発明に記載の技術案を限定していなく、ただ本発明を説明するために用いられ、本説明書は前記実施例を参照して本発明を詳しく説明したが、当業者は理解すべきは、当業者が相変わらず本発明に対して補正または等価差し替えを行ってもよく、本発明の精神及び範囲から逸脱しない全ての技術案及びその改良は、いずれも本発明の請求項の範囲に該当している。
【図１】
2021501281.tif 000003
【図２】
2021501281.tif 000004
【図３】
2021501281.tif 000005
【図４】
2021501281.tif 000006
【図５】
2021501281.tif 000007
【図６】
2021501281.tif 000008
【図７】
2021501281.tif 000009
【図８】
2021501281.tif 000010
【図９】
2021501281.tif 000011
【図１０】
2021501281.tif 000012
【図１１】
2021501281.tif 000013
【図１２】
2021501281.tif 000014
【図１３】
2021501281.tif 000015
【図１４】
2021501281.tif 000016
【図１５】
2021501281.tif 000017
【図１６】
2021501281.tif 000018
【図１７】
2021501281.tif 000019
【国際調査報告】
2021501281.tif 000020
2021501281.tif 000021
2021501281.tif 000022
2021501281.tif 000023
2021501281.tif 000024
2021501281.tif 000025